(57)【要約】【目的】待機電力カットシステムにおいて、コンセント側から電気機器への電力供給をカットし、また、既存の電気機器の内部回路の変更を不要とし、電気機器の構成を簡単にするとともに、電気機器自体を低廉とし、更に、各種の電気機器に対処することが可能であり、汎用性を向上し、しかも、いずれの場所でも容易に使用することにある。【構成】電気機器の電源プラグとこの電源プラグが差し込まれるコンセントとの間に設けられる待機電力カット器具の制御手段は、少なくとも、主電源スイッチのオン状態で待機部が動作されて機能部が非作動状態になって電気機器において待機電力が消費されていると判断する待機電力判断部と、この待機電力判断部が電気機器において待機電力が消費されていると判断したときにコンセント側から電気機器への電力供給をカットする電力カット部とを有している。【選択図】        図１
2004173346.tif 000002
【特許請求の範囲】
【請求項１】
主電源スイッチがオンで機能部の作動時に常時電力が消費される一方、前記主電源スイッチのオン状態で待機部が動作された前記機能部の非作動時には待機電力が消費される電気機器の待機電力カットシステムにおいて、前記電気機器の電源プラグとこの電源プラグが差し込まれるコンセントとの間には待機電力カット器具を設け、この待機電力カット器具の制御手段は、少なくとも、前記主電源スイッチのオン状態で前記待機部が動作されて前記機能部が非作動状態になって前記電気機器において待機電力が消費されていると判断する待機電力判断部と、この待機電力判断部が前記電気機器において待機電力が消費されていると判断したときに前記コンセント側から前記電気機器への電力供給をカットする電力カット部とを有することを特徴とする電気機器の待機電力カットシステム。
【請求項２】
前記待機電力カット器具には、前記電気機器への電力供給を復帰させたい場合に、前記コンセント側から前記電気機器への電力供給を許容するように操作される操作手段を設けたことを特徴とする請求項１に記載の電気機器の待機電力カットシステム。
【発明の詳細な説明】
【０００１】
【発明の属する技術分野】
この発明は、電気機器の待機電力カットシステムに係り、特に電気機器の待機電力をカットして節電を十分に図る電気機器の待機電力カットシステムに関する。
【０００２】
【従来の技術】
従来、電気機器としての例えばテレビ受信機においては、このテレビ受信機の本来の機能を実行する機能部の作動・非作動を遠隔操作するリモートコントローラが多用され、このリモートコントローラが操作されたときに、このリモートコントローラから出力される遠赤外線や超音波等の動作指令信号を受信するリモコン信号受信部を有している。このリモコン信号受信部は、任意の時に操作されるリモートコントローラからの動作指令信号を受信することができ、常時、待機部によって待機電力が供給されている待機状態にある。
【０００３】
また、従来、電気機器としてのテレビ受信機には、アンテナからのソーラー電力出力を蓄電池又はコンデンサに蓄積し、この蓄積した電力を待機電力として供給するものがある（例えば、特許文献１参照）。
【０００４】
【特許文献１】
特開２００１−２４９６８号公報（第２頁）
【０００５】
【発明が解決しようとする課題】
ところが、従来、電気機器において、上記の特許文献１のように、待機電力を別途の場所から供給したり、あるいは、電気機器の内部回路を変更して待機電力の消費を低減するものがあるが、節電が十分でなく、また、既存の電気機器の大幅な改造が必要となり、電気機器の構成が複雑になるとともに、電気機器自体が高価になってしまうという不都合があった。
【０００６】
【課題を解決するための手段】
そこで、この発明は上述の不都合を除去すべく、主電源スイッチがオンで機能部の作動時に常時電力が消費される一方、前記主電源スイッチのオン状態で待機部が動作された前記機能部の非作動時には待機電力が消費される電気機器の待機電力カットシステムにおいて、前記電気機器の電源プラグとこの電源プラグが差し込まれるコンセントとの間には待機電力カット器具を設け、この待機電力カット器具の制御手段は、少なくとも、前記主電源スイッチのオン状態で前記待機部が動作されて前記機能部が非作動状態になって前記電気機器において待機電力が消費されていると判断する待機電力判断部と、この待機電力判断部が前記電気機器において待機電力が消費されていると判断したときに前記コンセント側から前記電気機器への電力供給をカットする電力カット部とを有することを特徴とする。
【０００７】
【発明の実施の形態】
この発明は、主電源スイッチのオン状態で待機部が動作されて機能部が非作動状態になり、電気機器で待機電力が消費された際に、コンセント側から電気機器への電力供給をカットをすることから、節電に十分貢献することができ、また、電気機器の電源プラグとコンセントとの間に待機電力カット器具を設けることから、既存の電気機器の内部回路の変更を不要とし、電気機器の構成を簡単にするとともに、電気機器自体を低廉とし、更に、各種の電気機器に対処することが可能であり、汎用性を向上し、しかも、携帯性に優れ、いずれの場所でも容易に使用することができ、使い勝手を向上することができる。
【０００８】
【実施例】
以下図面に基づいてこの発明の実施例を詳細且つ具体的に説明する。図１〜図３は、この発明の第１実施例を示すものである。図１において、２は電気機器の待機電力カットシステムである。この電気機器の待機電力カットシステム２は、例えば、テレビ受信機等の各種の電気機器４に使用されるものである。
【０００９】
この電気機器４には、本体６に、画面部８と機能部１０と待機部１２とリモコン信号受信部１４とプッシュ式の主電源スイッチ１６とが設けられている。機能部１０は、受信器やチューナ等からなり、電気機器４の本来の機能を実行するものであり、作動すると、画面部８に表示させる等で、常時電力を消費させるものである。待機部１２は、リモコン信号受信部１４がリモートコントローラ１８からの動作指令信号を受信すると動作して、必要な各部で、前記常時電力よりも少ない待機電力を消費させるものである。
【００１０】
即ち、この電気機器４においては、主電源スイッチ１６がオンで機能部１０の作動時に常時電力が消費される一方、主電源スイッチ１６のオン状態で待機部１２が動作した機能部１０の非作動時には待機電力が消費される。主電源スイッチ１６には、該主電源スイッチ１６のオン状態で待機部１２が動作された機能部１０の非作動時に点灯する待機用ランプ２０が備えられている。また、この電気機器４は、主電源スイッチ１６のオン状態で待機部１２が動作された機能部１０の非作動時で、待機用ランプ２０が点灯しているときに、電力供給が一旦遮断され、その後、再び電力が供給された場合に、待機部１２が動作するように構成されている。
【００１１】
また、電気機器４においては、主電源スイッチ１６が手動でプッシュ操作されてオンになったときに、機能部１０を作動状態とし、一方、主電源スイッチ１６が手動でプッシュ操作されてオフになったときに、機能部１０を非作動状態とするとともに待機用ランプ２０を消灯し、また、リモートコントローラ１８で機能部１０が非作動にされたときには、待機部１２により待機用ランプ２０を点灯させ、待機電力が消費される状態になるものである。
【００１２】
電気機器４には、電気系路２２を構成する電源コード２４の一端側が接続されている。この電源コード２４の他端側には、電源プラグ２６が接続されている。
【００１３】
電気機器４の電源プラグ２６とこの電源プラグ２６が差し込まれるコンセント２８との間には、待機電力カット器具３０が設けられる。
【００１４】
この待機電力カット器具３０には、本体部３２の一面側に電源プラグ２６のプラグ突部３４が差し込まれる機器側差込口３６と、本体部３２の他面側にコンセント２８のコンセント差込口３８に差し込まれる機器側突部４０とを備えている。
【００１５】
この待機電力カット器具３０には、制御手段４２が設けられている。この制御手段４２には、中央処理部４２Ａと、主電源スイッチ１６のオン状態で待機部１２が動作されて機能部１０が非作動状態になって電気機器４において待機電力が消費されていると判断する待機電力判断部４２Ｂと、この待機電力判断部４２Ｂが電気機器４において待機電力が消費されていると判断したときにコンセント２８側から電気機器４への電力供給をカットする電力カット部４２Ｃと、この電力カット部４２Ｃによる電力カット中に該電力カットを解除するカット解除部４２Ｄとを有する。待機電力判断部４２Ｂは、例えば、電気機器４で消費される常時電力と待機電力との電位差によって電気機器４の待機電力を判断するものである。
【００１６】
また、待機電力カット器具３０の上部には、電気機器４への電力供給を復帰させたい場合に、コンセント２８側から電気機器４への電力供給を許容するように操作される操作手段４４としての操作ボタン４６が設けられている。この操作ボタン４６は、例えば、図２に示す如く、第１の位置Ｐ１と第２の位置Ｐ２とで押し操作毎に停止して制御手段４２のカット解除部４２Ｄを作動するものであり、所定の保持付勢手段（図示せず）によって往復動可能に保持されている。
【００１７】
なお、この操作ボタン４６においては、例えば、第１の位置Ｐ１でオンとして停止し、第２の位置Ｐ２ではオフとして停止するように構成することも可能である。この場合に、待機電力カット器具３０において、操作ボタン４６を手動で押し操作することで、電気機器４への電力供給と電力カットとを交互に行うことができるものである。
【００１８】
また、待機電力カット器具３０の上部には、電気機器４に電力が供給されているときにオンになるとともに、電力カット部４２Ｃによる電力カット中にはオフになる電力カット告知手段４８としての告知用ランプ５０が設けられている。
【００１９】
次に、この第１実施例の作用を説明する。
【００２０】
コンセント２８のコンセント差込口３８に待機電力カット器具３０の機器側突部４０を差し込み、そして、待機電力カット器具３０の機器側差込口３６に電気機器４の電源プラグ２６のプラグ突部３４を差し込むことにより、コンセント２８側からの電力が電気機器４に供給される状態にある。
【００２１】
このとき、電気機器４の主電源スイッチ１６をオンにすることにより、機能部１０が作動状態となり、この機能部１０の作動では電気機器４において常時電力が消費され、また、待機電力カット器具３０においては、告知用ランプ５０がオン（点灯）となり、電力供給状態を告知している。
【００２２】
そして、この主電源スイッチ１６のオン状態で、リモートコントローラ１８を操作することにより、電気機器４の機能部１０を非作動にすると、待機部１２の動作によって待機用ランプ２０がオンとなり、また、この待機部１２により、電気機器４の必要な各部では、待機電力が消費される。
【００２３】
このとき、待機電力カット器具３０においては、制御手段４２の待機電力判断部４２Ｂにより、例えば、電気機器４の常時電力と待機電力との電位差で、電気機器４において待機電力が消費されていることを判断し、そして、電力カット部４２Ｃにより、コンセント２８側から電気機器４への電力供給のカットを行うとともに、この電力供給のカットがなされたことを、告知用ランプ５０がオフ（消灯）することにより、この電力供給のカット状態を告知することができる。
【００２４】
そして、電気機器４への電力供給を復帰したい場合には、待機電力カット器具３０の操作ボタン４６を押し操作することで、カット解除部４２Ｄを作動し、コンセント２８側から電気機器４への電力供給を許容し、よって、電気機器４においては、コンセント２８側から電力が供給され、そして、待機部１２が動作され、このとき、電気機器４には電力がコンセント２８側から供給されていることから、この待機部１２の動作状態が維持されており、そして、リモートコンローラ１８を操作して主電源スイッチ１６をオンすることで、機能部１０が作動し、これにより、電気機器４では常時電力が消費される。
【００２５】
この結果、電気機器４の電源プラグ２６とこの電源プラグ２６が差し込まれるコンセント２８との間には待機電力カット器具３０を設け、この待機電力カット器具３０の制御手段４２は、少なくとも、主電源スイッチ１６のオン状態で待機部１２が動作されて機能部１０が非作動状態になって電気機器４において待機電力が消費されていると判断する待機電力判断部４２Ｂと、この待機電力判断部４２Ｂが電気機器４において待機電力が消費されていると判断したときにコンセント２８側から電気機器４への電力供給をカットする電力カット部４２Ｃとを有することから、主電源スイッチ１６のオン状態で待機部１２が動作されて機能部１０が非作動状態になり、電気機器４で待機電力が消費された際に、コンセント２８側から電気機器４への電力供給をカットをすることから、節電に十分貢献することができ、また、電気機器４の電源プラグ２６とコンセント２８との間に待機電力カット器具３０を設けたことから、既存の電気機器の内部回路の変更を不要とし、電気機器４の構成を簡単にするとともに、電気機器４自体を低廉とし、更に、各種の電気機器に対処することが可能であり、汎用性を向上し、しかも、携帯性に優れ、いずれの場所でも容易に使用することができ、使い勝手を向上することができる。
【００２６】
また、待機電力カット器具３０には、電気機器４への電力供給を復帰させたい場合に、コンセント２８側から電気機器４への電力供給を許容するように操作される操作手段４４としての操作ボタン４６を設けたので、電気機器４への電力供給の復帰を容易に行うことができる。
【００２７】
更に、待機電力カット器具３０には、電気機器４に電力が供給されているときにオンになるとともに、電力カット部４２Ｃによる電力カット中にはオフになる電力カット告知手段４８としての告知用ランプ５０が設けられていることにより、電力供給のカット状態を容易に確認させることができる。
【００２８】
図４は、この発明の第２実施例を示すものである。
【００２９】
以下の実施例においては、上述の第１実施例と同一機能を果たす箇所には同一符号を付して説明する。
【００３０】
この第２実施例の特徴とするところは、以下の点にある。即ち、待機電力カット器具３０の上部には、操作手段４４として、電気機器４への電力供給を許容する垂直方向（オン）と、電気機器４への電力供給をカットする水平方向（オフ）とに、回動可能な操作レバー５２を設けた。
【００３１】
この第２実施例の構成によれば、待機電力カット器具３０において、手動により、電気機器４に電力を供給したい場合に、操作レバー５２を垂直方向に位置し、一方、電気機器４への電力供給をカットしたい場合には、操作レバー５２を水平方向に位置させればよく、このとき、操作レバー５２が垂直方向又は水平方向のいずれかに回動されることにより、電気機器４への電力供給時かあるいは電力カット時かを容易に確認することでき、告知用ランプを不要とし、構成が簡単で、簡便である。
【００３２】
図５は、この発明の第３実施例を示すものである。
【００３３】
この第３実施例の特徴とするところは、以下の点にある。即ち、待機電力カット器具３０の本体部３２内には、電力カット告知手段４８として、電磁機構６２を設けた。この電磁機構６２は、ソレノイド６４と、このソレノイド６４の通電・非通電によって往復動されて先端側に告知色部６６を備えた移動部材６８とからなる。この告知色部６６には、電力カット状態を知らせる、例えば赤色等の所定の色が設けられている。また、本体部３２の一部には、この移動部材６８が押進動されたときに、先端側の告知色部６６が外部から目視可能な窓部７０が設けられている。
【００３４】
この第３実施例の構成によれば、待機電力カット時に、電磁機構６２の移動部材６８が押進動すると、この移動部材６８の告知色部６６を外部から窓部７０を経て目視することができることから、告知用ランプを不要として、電力カット状態を容易に確認することができる。
【００３５】
図６は、この発明の第４実施例を示すものである。
【００３６】
この第４実施例の特徴とするところは、以下の点にある。即ち、制御手段４２には、電気機器４の機能部１０の非作動時から待機電力が一定時間消費されたときに、電力供給をカットさせるように電力カット部４２Ｃを作動するタイマ４２Ｅを設けた。
【００３７】
この第４実施例の構成によれば、電気機器４の機能部１０の非作動時から待機電力が一定時間消費されてから待機電力をカットするので、電気機器４の機能部１０を非作動にした直後に、電気機器４を再作動したい場合に、直ぐに対処することができ、簡便である。
【００３８】
また、この発明においては、待機電力カット器具を、テレビ受信機に限らず、コンピュータや他の家庭電気等の電気機器にも使用可能である。
【００３９】
【発明の効果】
以上詳細な説明から明らかなようにこの発明によれば、電気機器の電源プラグとこの電源プラグが差し込まれるコンセントとの間には待機電力カット器具を設け、この待機電力カット器具の制御手段は、少なくとも、主電源スイッチのオン状態で待機部が動作されて機能部が非作動状態になって電気機器において待機電力が消費されていると判断する待機電力判断部と、この待機電力判断部が電気機器において待機電力が消費されていると判断したときにコンセント側から電気機器への電力供給をカットする電力カット部とを有することにより、主電源スイッチのオン状態で待機部が動作されて機能部が非作動状態になり、電気機器で待機電力が消費された際に、コンセント側から電気機器への電力供給をカットをすることから、節電に十分貢献することができ、また、電気機器の電源プラグとコンセントとの間に待機電力カット器具を設けることから、既存の電気機器の内部回路の変更を不要とし、電気機器の構成を簡単にするとともに、電気機器自体を低廉とし、更に、各種の電気機器に対処することが可能であり、汎用性を向上し、しかも、携帯性に優れ、いずれの場所でも容易に使用することができ、使い勝手を向上し得る。
【図面の簡単な説明】
【図１】第１実施例において待機電力カットシステムの構成図である。
【図２】第１実施例において待機電力カット器具の概略構成図である。
【図３】第１実施例において待機電力カット器具の制御手段のブロック図である。
【図４】第２実施例において待機電力カット器具の斜視図である。
【図５】第３実施例において待機電力カット器具の一部断面図である。
【図６】第４実施例において待機電力カット器具の制御手段のブロック図である。
【符号の説明】
２  待機電力カットシステム
４  電気機器
１０  主電源スイッチ
１０  機能部
１２  待機部
１４  リモコン信号受信部
１６  主電源スイッチ
２０  待機用ランプ
２６  電源プラグ
２８  コンセント
３０  待機電力カット器具
４２  制御手段
４４  操作手段
４８  電力カット告知手段
【図１】
2004173346.tif 000003
【図２】
2004173346.tif 000004
【図３】
2004173346.tif 000005
【図４】
2004173346.tif 000006
【図５】
2004173346.tif 000007
【図６】
2004173346.tif 000008